(57)【要約】【課題】  構造物の外壁面に緑化面と非緑化面を画然と形成し、かつ保持することができる壁面緑化装置を提供する。【解決手段】(ａ)壁面緑化装置を、フレームと、パネル取付材と、ネットパネルと、ルーバーパネルとから構成し、(ｂ)フレームは、複数本の支柱を複数本の横材で連結して構成された骨組みであり、建造物の外壁面から離間して立設され、（ｃ）パネル取付材は、フレームの外面に上下方向にネットパネル及びルーバーパネルの高さとほぼ等しい間隔をもって取り付けられ、(ｄ)ネットパネルは、枠体の内側に植物が絡まって生長可能なメッシュのネットを張設してなり、パネル取付材に取り付けられ、(ｅ)ルーバーパネルは、枠体の内側に植物が絡まることができない間隔でルーバーを配設してなり、パネル取付材に取り付けられるものであることを特徴としている。【選択図】  図１
2010115117.tif 000002
【特許請求の範囲】
【請求項１】
フレームと、パネル取付材と、ネットパネルと、ルーバーパネルとからなり、
前記フレームは、複数本の支柱を複数本の横材で連結して構成された骨組みであり、建造物の外壁面から離間して立設されるものであり、
前記パネル取付材は、前記フレームの外面に上下方向に前記ネットパネル及び前記ルーバーパネルの高さとほぼ等しい間隔をもって取り付けられるものであり、
前記ネットパネルは、枠体の内側に植物が絡まって生長可能なメッシュのネットを張設してなり、前記パネル取付材に取り付けられるものであり、
前記ルーバーパネルは、枠体の内側に前記植物が絡まることができない間隔でルーバーを配設してなり、前記パネル取付材に取り付けられるものである、
ことを特徴とする壁面緑化装置。
【請求項２】
請求項１に記載の壁面緑化装置において、パネル取付材は、フレームに着脱自在に取り付けられ、前記ネットパネル及び前記ルーバーパネルは、前記パネル取付材に着脱自在に取り付けられることを特徴とする壁面緑化装置。
【請求項３】
請求項１又は２に記載の壁面緑化装置において、
ルーバーパネルは、パネル取付材に取り付けられる枠体の内側にルーバーを下側のネットパネルに保持される蔓性植物が登攀できない間隔で配設してなることを特徴とする壁面緑化装置。
【請求項４】
請求項１又は２に記載の壁面緑化装置において、
パネル取付材として、ネットパネル取付材とルーバーパネル取付材の２種類を形成し、前記ルーバーパネル取付材の出幅は、前記ネットパネル取付材の出幅よりも大きくして、前記ネットパネル取付材の外側面に取り付けたネットパネルに保持される植物がそのネットパネルの上側のルーバーパネル取付材の外側面に取り付けたルーバーパネルに登攀できないようにしたことを特徴とする壁面緑化装置。
【請求項５】
請求項１，２，３又は４に記載の壁面緑化装置において、
フレームは、支持部材により建築物の外壁面から外側に持ち出して取り付けられ、ネットパネル及びルーバーパネルと前記建築物の外壁面との間にその外壁面に沿って連通する空間が形成され、等しい高さに存在する支持部材にプランター支持台又は作業者歩行路として用いられる棚板が設けられていることを特徴とする壁面緑化装置。
【請求項６】
請求項１，２，３，４又は５に記載の壁面緑化装置において、
ルーバーパネルの少なくとも１つは、建造物の外壁面に設けてある非常避難口とほぼ等しい面積を有し、フレームに開閉自在に取り付けられていることを特徴とする壁面緑化装置。
【発明の詳細な説明】
【技術分野】
【０００１】
本発明は、建築物その他の構造物の外壁面を緑化するための壁面緑化装置、とくに、構造物の外壁面に取り付けられるフレームと、そのフレームに支持され、植栽を保持するパネルとを構成要素とする壁面緑化装置に関する。
【背景技術】
【０００２】
近年、特に都市部において、構造物の外壁面に植栽を施して緑化する壁面緑化が行なわれている。壁面緑化は、構造物への太陽熱・太陽光の照射を遮断(遮熱・遮光)して、空調負荷軽減による省エネルギー効果をもたらすばかりでなく、近年頓に問題視されている温暖化ガス発生量の削減に資するとともに、ヒートアイランド現象の緩和、大気中炭酸ガスの吸収などの環境改善効果をもたらし、また、建造物の景観改善により都市生活者に癒し効果を与えることが期待されるため、商品化が望まれている。
【０００３】
既知の壁面緑化装置には、特許文献１に記載された、建築物の外壁に突設した複数の腕木と、その腕木に支持した複数のフレーム材と、そのフレーム材に架設したネットと、フレーム材の下端側の建築物の外面に沿って地上に置いた複数のプランターとから構成したものがある。この壁面緑化装置では、プランター内に植えられる植物は、落葉蔓性植物のツタであり、ツタが上方に設けたネットやフレーム材に絡まりながら成育することにより、外壁面を緑化する。
【０００４】
また、既知の壁面緑化装置には、特許文献２に記載された、上下の横枠材と左右の縦枠材と仕切枠材と底板とからなり、複数の方形状の箱を備えたフレーム枠と、そのフレーム枠の複数の箱に収容される植栽基盤とを備えて緑化パネルを構成し、フレーム枠に取付けたブラケットをアンカーボルトで建築物の壁面に固定することにより、緑化パネルを建築物に支持するようにしたものがある。この壁面緑化装置では、箱内の植栽基盤に植生した植物により壁面を緑化する。
【０００５】
また、既知の壁面緑化装置には、特許文献３に記載された、断面ほぼ凹状の複数の樋部材をそれぞれ開口部側を上方に向けた状態で水平方向に延設して、上下方向に間隔をあけて構造物の壁面に支持し、上下方向に隣り合う一対の樋部材の間に、植栽が施される倍土基盤とその倍土基盤を保持する枠部材とを備える緑化ユニットを、前記枠部材を樋部材に着脱自在に支持して、設置するようにしたものがある。この壁面緑化装置では、樋部材の任意の位置に緑化ユニットを設置することができるので、構造物の壁面に緑化を施すデザインの自由度が高く、緑化ユニットを壁面の全面配置、ライン状配置、あるいはＦなどの文字状配置が可能であり、緑化ユニットが着脱可能であるため、緑化ユニットの個別のメンテナンスや構造物の壁面の塗り替えなどに柔軟に対応でき、緑化ユニットを構造物の壁面に沿って設置するため、植物選定の自由度が高い。また、緑化ユニットと樋部材からなるので、構成がシンプルで緑化に掛かるコストの低減が可能である。
【０００６】
また、既知の壁面緑化装置には、特許文献４に記載された、建築物の外側に垂直支柱と梁部材と横架材とで骨組み(フレーム)を形成し、横架材に植栽用容器を載置するようにしたものがある。
【０００７】
さらに、既知の壁面緑化装置には、特許文献５に記載された、支柱と架材を直方体の稜線に沿って配設し接続してなるフレームの相対向する面にフレーム部の内側にネット部を張設してなるネットを備えたものがある。
【特許文献１】特開２００２−３４３５０号公報
【特許文献２】特開２００２−９５３４７号公報
【特許文献３】特開２００７−２２２０１５号公報
【特許文献４】特開２００７−２７４９４８号公報
【特許文献５】特開２００８−７９５１９号公報
【発明の開示】
【発明が解決しようとする課題】
【０００８】
特許文献１に開示された壁面緑化装置では、地上に設置したプランターから建築物の外壁面を覆うように設けた上方のネットに蔓性植物であるツタを生育させて緑化するものであるから、ツタの生育範囲を画然と仕切ることは困難である。すなわち、壁面の緑化を施す面と、緑化を施さない面の画然とした仕切が不可能又は困難であり、遮光を望まない窓面まで意に反して遮光されてしまうという問題がある。
【０００９】
特許文献２に開示された壁面緑化装置では、フレーム枠が植栽基盤を収容するため比較的堅牢に形成されるため、緑化に掛かるコストが高くつくという問題があるとともに、そのフレーム枠が建築物の壁面にアンカーボルトで固定されるため、フレーム枠の箱内に収容した植栽基盤の交換や、建築物の壁面の塗り替えなど、壁面緑化装置や建築物のメンテナンスに柔軟に対応することができないという問題がある。
【００１０】
特許文献３に開示された壁面緑化装置では、緑化ユニットはいずれも共通の垂直面上に設置され、樋部材も緑化ユニットと共通の垂直面上に存在するため、樋部材の倍土基盤に蔓性植物を植栽する場合は、その植物の育成範囲又は繁殖範囲が樋部材の上方の一つの緑化ユニットに制限されず、その緑化ユニットを越えて上側の樋部材の上方の緑化ユニット、あるいはさらにその上方まで限りなく伸長することが考えられる。
従って、ある緑化ユニットの上側に植物により覆われない、採光窓、透視窓、又は、非常時避難用窓などを確保することは困難であるから、これらの窓の下側には、蔓性植物を植栽することはできない。
【００１１】
さらに、上記先行技術は、いずれも、壁面を覆う植物を管理するには、植物の被覆層の外側(建築物と反対側)で作業をしなければならず、危険を伴う高所作業となる問題がある。
【００１２】
特許文献４に開示された壁面緑化装置では、フレームに対する容器の配置態様が一定であり、容器には中木、高木等の樹木、蔦植物，蔓植物などが植栽されるので、遮熱・遮光効果は少なく、壁面全面が一律のデザインであり、デザインの自由性に乏しい。また、壁面の任意の一部に所定形状の採光部・透視部を設けることはできない。
【００１３】
そして、特許文献５に開示された壁面緑化装置では、フレームの表裏両面にネットを備えるので、高い遮熱・遮光率が得られる場合があるが、ネット部はいずれも同様の外観を有するので、デザインの自由性に乏しく、装置のメンテナンスは容易でなく、植栽の管理も容易でない。
【００１４】
本発明は、上記問題に鑑みてなされたものであり、解決しようとする第１の課題は、構造物の外壁面に緑化面と非緑化面、換言すると、遮光面（遮熱面を含む。以下、同じ。）と非遮光面（非遮熱面を含む。以下、同じ。）を画然と形成し、かつ保持することができる壁面緑化装置を提供することにある。
また、本発明の第２の課題は、緑化面と非緑化面のデザインの自由度が高められ、メンテナンスが容易にできる壁面緑化装置を提供することにある。
さらに、本発明の第３の課題は、非常避難口を確保することができる壁面緑化装置を提供することにある。
【課題を解決するための手段】
【００１５】
本発明は、上記第１の課題を解決するため、（ａ）壁面緑化装置を、フレームと、パネル取付材と、ネットパネルと、ルーバーパネルとから構成したこと、（ｂ）前記フレームは、複数本の支柱を複数本の横材で連結して構成された骨組みであり、建造物の外壁面から離間して立設されるものであること、（ｃ）前記パネル取付材は、前記フレームの外面に上下方向に前記ネットパネル及び前記ルーバーパネルの高さとほぼ等しい間隔をもって取り付けられるものであること、(ｄ)前記ネットパネルは、枠体の内側に植物が絡まって生長可能なメッシュのネットを張設してなり、前記パネル取付材に取り付けられるものであること、（ｅ）前記ルーバーパネルは、枠体の内側に前記植物が絡まることができない間隔でルーバーを配設してなり、前記パネル取付材に取り付けられるものであることを特徴としている（請求項１）。
【００１６】
本発明は、上記第２の課題を解決するため、上記壁面緑化装置において、パネル取付材は、フレームに着脱自在に取り付けられ、前記ネットパネル及び前記ルーバーパネルは、前記パネル取付材に着脱自在に取り付けられることを特徴としている（請求項２）。
【００１７】
本発明は、また、上記第２の課題を解決するため、上記壁面緑化装置において、ルーバーパネルは、パネル取付材に取り付けられる枠体の内側にルーバーを下側のネットパネルに保持される蔓性植物が登攀できない間隔で配設してなることが好ましい（請求項３）。
【００１８】
本発明は、上記第１の課題を解決するため、上記壁面緑化装置において、パネル取付材として、ネットパネル取付材とルーバーパネル取付材の２種類を形成し、前記ルーバーパネル取付材の出幅は、前記ネットパネル取付材の出幅よりも大きくして、前記ネットパネル取付材の外側面に取り付けたネットパネルに保持される植物がそのネットパネルの上側のルーバーパネル取付材の外側面に取り付けたルーバーパネルに登攀できないようにしたことを特徴としている（請求項４）。
【００１９】
また、本発明は、上記第２の課題を解決するため、フレームは、支持部材により建築物の外壁面から外側に持ち出して取り付けられ、ネットパネル及びルーバーパネルと前記建築物の外壁面との間にその外壁面に沿って連通する空間が形成され、等しい高さに存在する支持部材にプランター支持台又は作業者歩行路として用いられる棚板が設けられていることを特徴としている（請求項５）。
【００２０】
さらに、本発明は、上記第３の課題を解決するため、、上記壁面緑化装置において、ルーバーパネルの少なくとも１つを、非常避難口とほぼ等しい面積を有するものとし、フレームに開閉自在に取り付けたことを特徴としている（請求項６）。
【発明の効果】
【００２１】
請求項１の発明によれば、ネットパネルには植物が絡まって生長・繁茂し、太陽熱・太陽光を遮断するが、ルーバーパネルには植物が登攀又は付着しないので、建造物の外壁面に緑化面と非緑化面を備えることができる。非緑化面においては、採光、採熱又は透視が可能である。
【００２２】
請求項２の発明によれば、ネットパネルとルーバーパネルを任意の位置に取付可能であり、緑化面と非緑化面野配置を任意にデザイン可能である。すなわち、デザインに自由性がある。
【００２３】
請求項３の発明によれば、緑化面から非緑化面への植物の伸長・登攀が阻止されるので、緑化面と非緑化面の画然とした仕切が可能である。
【００２４】
請求項４の発明によれば、緑化面から非緑化面への植物の伸長・登攀を確実に阻止することができる。従って、採光面又は透視面の確保が可能である。
【００２５】
請求項５の発明によれば、プランターの設置、植栽又はパネルのメンテナンス、ネットパネル又はルーバーパネルの取付位置の変更などをフレームの内側から安全容易に行なうことができる。
【００２６】
請求項６の発明によれば、非常避難口が植物により遮蔽されてしまうことがない壁面緑化装置を提供することができる。
【発明を実施するための最良の形態】
【００２７】
次に、本発明の実施の形態について、図面に基づいて説明する。本発明は、木造建築物、軽量鉄骨造建築物、鉄筋コンクリート造建築物に適用可能であるが、以下には、鉄筋コンクリート造建築物に適用した場合の例について説明する。
【００２８】
図１は本発明に係る壁面緑化装置を取り付けた建築物の斜視図、図２はその建築物から壁面緑化装置を引き離した状態で示す斜視図、図３は壁面緑化装置を主たる構成要素別に分解して示す斜視図、図４は図３の下側の支持部材群及び中間の支持部材群と下側の桁の詳細を示す斜視図、図５は図４の一部の拡大図、図６は図３の上側の支持部材群と上側の桁の詳細を示す斜視図、図７は図３のフレームの詳細を示すフレームの拡大分解斜視図、図８は支柱と横材の接続構造の一例を示す斜視図、図９はパネル取付材群の詳細を示す斜視図、図１０はパネル取付材を構成するネットパネル取付材とルーバーパネル取付材の接続構造の一例を示す斜視図、図１１は建築物に取り付けられたフレームの側面図であり、(ａ)は下半部分、(ｂ)は上半部分の側面図である。図１２は図１１のＸ−Ｘ線断面図、図１３は図１１のＹ−Ｙ線断面図、図１４はネットパネルの正面図、図１５は同じく拡大縦断面図、図１６は同じく拡大横断面図、図１７はルーバーパネルの正面図、図１８は同じく拡大縦断面図、図１９は同じく拡大横断面図、図２０はパネル取付材にネットパネルとルーバーパネルを取り付けた状態の横断面図、図２１はネットパネルとルーバーパネルの配置例を示すパネル群の一部の拡大図、図２２は同パネル群に育成した植栽が付着している様子の一例を示す斜視図である。
【００２９】
図１及び図２は、本発明に係る壁面緑化装置Ａを、一例として４階建ての建築物Ｂの２階から４階までの窓面側に取り付け、各階に上下方向には２枚ずつ、横方向には５枚ずつのパネルＮＰ，ＲＰを近接して取り付けた状態を示している。なお、図面の簡明化のため、図１と図２には、図３に示されているフレーム１００、パネル取付材２００が省略されている。
【００３０】
本発明に係る壁面緑化装置Ａは、概括的には、図３に示すように、建築物の外側に設置されるフレーム１００と、そのフレームの所定の位置の外側面に水平方向に延長させて取り付けられるパネル取付材２００と、そのパネル取付材に取り付けられるパネル群３００とから構成されている。
【００３１】
パネル群３００は、２種類のパネルＮＰ，ＲＰを近接して設置して構成される。図１〜図３において、ＮＰはネットパネルであり、植栽による緑化を望む面に取り付けられる。ＲＰはルーバーパネルであり、植栽による緑化を望まない面に取り付けられる。いずれのパネルも同一の面積を有する。そして、ネットパネルＮＰとルーバーパネルＲＰの配置位置及び配置パターンは、後述されるフレーム１００の構造上の制限を受けるほかは任意であり、デザインに対する好み、緑化による遮光を望む領域、緑化による遮光を望まない領域等に対応して、任意に設定することができる。
【００３２】
続いて、２種類のパネルＮＰ，ＲＰを任意の位置に取り付けることを可能にするためのフレーム１００の構成及び建築物に対する取付構造、パネル取付材２００の構成、及び各パネルＮＰ，ＲＰの構成について順次詳細に説明する。
【００３３】
フレーム１００は、複数本の支柱１２０同士を横材１３０で連結して構成された骨組みであり、建築物Ｂの外壁面に突設される複数の支持部材１１０により建築物Ｂの外壁面から所定距離を隔てた状態で建築物Ｂの外側に立設される。
【００３４】
支持部材１１０は、支柱１２０及び／又は横材１３０を建築物Ｂに固定する機能と、後述される棚板１４０を支持する機能を有すれば、その構造・形状は任意である。
図示の例では、支持部材１１０に、２種類の支持部材１１０ａ、１１０ｂ；１１０ｃを用いている。1種類の支持部材１１０ａ、１１０ｂは、図４及び図６に示すように、壁面 にねじｎ１などにより固着される垂直材１１１の一端に水平材１１２の一端を固着し、その水平材１１２の他端と垂直材１１１の他端の間に方杖１１３を設けて直角三角形状に形成されている。下側の支持部材１１０ａは水平材１１２を上側に位置させた状態で各支柱１２０に対応する垂直線の中間位置における一つの水平線に沿って外壁面に固定される。上側の支持部材１１０ｂは、水平材１１２を下側に位置させた状態で各支柱１２０の上端部に対応する１つの水平線に沿って下側の支持部材１１０ａの間隔と等しい間隔で外壁面に固定される。
【００３５】
支持部材のもう１種類である支持部材１１０ｃは、ブラケット１１４ａ，１１４ｂと持ち出し材１１５とで構成されていて、各支柱１２０の下部に対応する一つの水平線に沿って支持部材１１０ａ、１１０ｂの間隔と等しい間隔で壁面にブラケット１１４ａ，１１４ｂにより取り付けられている。支持部材１１０ｃのブラケット１１４ｂには、建築物の外壁面から支持部材１１０ａの水平材１１２の先端と共通する垂直面まで延長する持ち出し材１１５が溶接などにより設けられている。そして、図５に示すように、各支持部材１１０ｃの先端に１本の桁１１６がボルトナットなどにより固着されている。外壁面に突設された上側の支持部材１１０ｂの水平材の先端にも、桁１１６と同様の桁１１６がボルトナットなどにより固着されている。これらの桁１１６は、支持部材１１０を相互に連結して支持部材の建築物に対する取付強度を相互増長するとともに、これらの桁１１６に各支柱１２０をボルトナットなどで固着するためのものである。図４，５，６において、１１５’は支持部材１１０ｂ，１１０ｃを桁１１６に接続する補強部材である。
【００３６】
建築物の外壁面に突設された下側の支持部材１１０ａの水平材１１２の上面には、後述する棚板１４０を載置して固定することができるようになっている。
【００３７】
支柱１２０は、図７に示すように、建築物Ｂの１階分又は複数階分の高さに相当する所定長さの支柱材を、連結金具１２１により、緑化を希望する階までの長さになるように連結して用いられる。支柱材と連結金具１２１の接続構造は、とくに限定されない。図７，８に示す例では、支柱１２０と連結金具１２１を共に径の異なるチャンネル状に形成し、連結金具１２１の両側部分を支柱１２０の溝の中に挿入し、ボルトナットｂなどで固着している。
【００３８】
そして、建築物Ｂの外壁面に沿って整列される各支柱１２０は、その建築物の窓の幅にほぼ対応する間隔をもって離間し、隣接する支柱１２０同士をその上下端部又はこれに加えて、もしくはこれに代えて、中間部などにおいて横材１３０により架橋し、その横材１３０をブラケット１３１により支柱１２０に固着して、格子状に組み立てられている。
【００３９】
支柱１２０の下端部には、外面に突出する張り出し材１４１を固着するとともに、両端部に位置する支柱１２０の間を連続する桁１４２をその裏面側に各支柱に対向して突出する挿入部材１４３を張り出し材１４１に挿入して固着し、それらの張り出し材１４１と桁１４２との上面に棚板１４０を載置固定することができるようにしてある。
【００４０】
建築物Ｂの外側に取り付けられた上記フレーム１００には、その外面に、上下方向に所定の間隔を持ってパネル取付材２００が着脱自在に取り付けられている。このパネル取付材２００は、図９に示すように、所定長の薄帯板で構成され、幅寸法が小さいネットパネル取付材２００Ｓと幅寸法が大きいルーバーパネル取付材２００Ｌとを任意の順序で、図１０に例示するように、ブラケット１５１とボルトナットなどｎ２により連結して構成され、フレーム１００の支柱１２０に固着される。所定長とは、後述されるネットパネルＮＰ及びルーバーパネルＲＰの単位長と等しい長さである。ネットパネル取付材２００Ｓとルーバーパネル取付材２００Ｌの配置位置又は配置パターンは、当該建築物の外面のうち、どの領域を植栽により遮光したいか、どの領域を遮光したくない(採光したい)かにより、決定される。施主の緑化パターンのデザインに対する好み応じて決定することもできる。
【００４１】
上記支持部材１１０（１１０ａ，１１０ｂ，１１ｃ）及び上下の桁１１６を介して支柱１２０と横材１３０からなるフレーム１００が、建築物の外側に立設される。図１１は、その立設されたフレーム１００の下部から上部までの縦断面図である。（ａ）は下半部であり、（ｂ）は上半部である。
【００４２】
図１２は図１１のＸ−Ｘ線に沿った断面図、図１３は図１１のＹ−Ｙ線に沿った断面図である。図１１、図１２において、１４０は持ち出し材１１５の上面に載置固定された、すなわち、フレーム１００から外側に張り出して設けられた棚板である。棚板１４０には、植栽をするためのプランターＰＬ(図１，２参照)を載置することができる。また、図１１、図１３において、１４０’はフレーム１００の内側に、下側の支持部材１１０ａの水平材１１２に載置固定された棚板であり、ここには植栽をするためのプランター（図示省略）を載置してもよいが、植栽あるいはフレームのメンテナンス、あるいはパネル取付位置の変更などを行う作業者がこの棚板に載って作業を行うための歩行路として使用することができる。従って、フレーム１００の内側で安全かつ容易に作業を行うことができる。
【００４３】
プランターを載せる棚板１４０又はメンテナンス用棚板１４０’をフレーム１００に設ける高さ位置は、植栽やパネルのメンテナンスや交換などが容易にできれば、とくに限定されない。
【００４４】
さて、上記ネットパネルＮＰ及びルーバーパネルＲＰの構成について、引き続き説明する。ネットパネルＮＰは、これにプランターＰＬに植栽される植物を絡ませて、又は登攀させて、遮光させる目的で使用される緑化パネルである。このようなネットパネルＮＰは、図１４に例示するように、好ましくは矩形の枠体１１の内側にワイヤー又は付着根を有する蔓性植物などが絡まり易いように表面処理をしたワイヤーもしくは棒材を格子状に接続したもの、あるいは、金網などのネット材１２を張設して構成することができる。ネット材１２には、植栽がネット材に絡まって又は付着根により付着して生長できる大きさのメッシュを有するものが使用される。従って、植栽される植物の生長の性質に応じて、メッシュの大きさが異なるネット材１２を枠材１１に固着又はブラケット１３により交換可能に取り付けて用いることができる。そして、枠体１１が上記パネル取付材２００のうち、ネットパネル取付材２００Ｓの外面にビス又はボルトナットなどにより、着脱可能に取り付けられる。
【００４５】
ルーバーパネルＲＰは、これにプランターＰＬに植栽される植物を付着させずに、又は登攀させずに、透視、採光及び／又は通風機能を維持するための非緑化パネルである。そして、このようなルーバーパネルＲＰは、図１７に例示するように、ネットパネルＮＰの枠体１１と同じ大きさの枠体１１の内側に複数本のルーバー１４，１４’を、所定以上の間隔をもって配設して構成することができる。そして、枠体１１が上記パネル取付材２００のうち、ルーバーパネル取付材２００Ｓの外面にビス又はボルトナットなどにより、着脱可能に取り付けられる。所定以上の間隔とは、プランターＰＬに植栽される植物が絡まり付いたり、登攀したりすることができない程度の間隔である。付着又は登攀の可能性が無ければ、図２０に例示するように、各ルーバー１４，１４’の太さや配置パターンは任意であり、好みのデザインにすることができる。
【００４６】
上記のネットパネルＮＰに対しては登攀させ、ルーバーパルＲＰには登攀させない植物として適する種類の一例を挙げれば、モッコーバラ、カロライナジャスミン、ジャスミンポリアンツム、ツタ、その他の付着根を有する植物や蔓性植物などがある。
【００４７】
ネットパネルＮＰに対しては登攀させ、ルーバーパルＲＰには登攀させないためには、ルーバー１３の間隔の設定により上記２種類のパネルを共通の垂直面に取り付けることも可能であるが、植物がルーバーパルＲＰに登攀することを確実に阻止するため、上述のように、パネル取付材のうち、ルーバーパネル取付材２００Ｌの出幅をネットパネル取付材２００Ｓの出幅よりも大きくすることが有効である。すなわち、ルーバーパネルＲＰをネットパネルＮＰよりも外側に張り出させ、そのルーバーパネルＲＰの下面をルーバーパネル取付材２００Ｌで遮蔽することにより、ネットパネルＮＰに沿って生長する植物は、そのネットパネルから上方又は側方のルーバーパネルに絡まって生長すること又は登攀することが阻止される。従って、緑化領域と非緑化領域を画然と仕切ることができ、その建築物を外側から見た場合の景観が美麗であるばかりでなく、遮光したい部分は緑化による遮光機能が発揮され、採光したい窓の採光機能が植物により損なわれることがない。
【００４８】
ネットパネルＮＰ及びルーバーパネルＲＰは、いずれもフレーム１００に対して同様に着脱自在に取り付けられるから、任意の位置に取付け又は取付位置を変えることができる。従って、デザインの自由性に富んでいる。本発明の実施の形態によれば、図２１に示すように、ネットパネルＮＰには植物が付着して緑化面が形成され、ルーバーパネルＲＰには植物が付着しない非緑化面が形成される。
【００４９】
また、建築物Ｂの非常避難口（図示省略）に対応する位置にルーバーパネルＲＰを既知の回転支持装置（図示省略）及び閉鎖状態に保持するラッチ装置（図示省略）を用いて開閉可能に取り付ければ、非常避難口が設けられている建築物においても、壁面緑化を、避難時に障害物となることなく、施すことができる。
【図面の簡単な説明】
【００５０】
【図１】本発明に係る壁面緑化装置を取り付けた建築物の斜視図。
【図２】その建築物から壁面緑化装置を引き離した状態で示す斜視図。
【図３】壁面緑化装置を主たる要素別に分解して示す斜視図。
【図４】図３の下側ブラケット及び中間ブラケット群と下側桁の詳細を示す斜視図。
【図５】図４の一部の拡大図。
【図６】図３の上側ブラケット群と上側桁の詳細を示す斜視図。
【図７】図３のフレームの詳細を示すフレームの拡大分解斜視図。
【図８】支柱と横材の接続構造の一例を示す斜視図。
【図９】パネル取付材群の詳細を示す斜視図。
【図１０】パネル取付材のネットパネル取付部分とルーバーパネル取付部の接続構造の一例を示す斜視図。
【図１１】建築物に取り付けられたフレームの側面図であり、(ａ)は下半部分、(ｂ)は上半部分の側面図。
【図１２】図１１のＸ−Ｘ線断面図。
【図１３】図１１のＹ−Ｙ線断面図。
【図１４】ネットパネルの正面図。
【図１５】同じく拡大縦断面図。
【図１６】同じく拡大横断面図。
【図１７】ルーバーパネルの正面図。
【図１８】同じく拡大縦断面図。
【図１９】同じく拡大横断面図。
【図２０】パネル取付材にネットパネルとルーバーパネルを取り付けた状態の横断面図。
【図２１】ネットパネルとルーバーパネルの配置例を示すパネル群の一部の拡大図。
【図２２】同パネル群に育成した植栽が付着している様子の一例を示す斜視図。
【符号の説明】
【００５１】
Ａ        壁面緑化装置
Ｂ        建築物
ＮＰ      ネットパネル
ＲＰ      ルーバーパネル
ＰＬ      プランタ
１００    フレーム
１１０    支持部材
１２０    支柱
１３０    横材
２００    パネル取付材
２００Ｓ  ネットパネル取付材
２００Ｌ  ルーバーパネル取付材
１４０    棚板
１４０’  棚板
３００    植物
【図１】
2010115117.tif 000003
【図２】
2010115117.tif 000004
【図３】
2010115117.tif 000005
【図４】
2010115117.tif 000006
【図５】
2010115117.tif 000007
【図６】
2010115117.tif 000008
【図７】
2010115117.tif 000009
【図８】
2010115117.tif 000010
【図９】
2010115117.tif 000011
【図１０】
2010115117.tif 000012
【図１１】
2010115117.tif 000013
【図１２】
2010115117.tif 000014
【図１３】
2010115117.tif 000015
【図１４】
2010115117.tif 000016
【図１５】
2010115117.tif 000017
【図１６】
2010115117.tif 000018
【図１７】
2010115117.tif 000019
【図１８】
2010115117.tif 000020
【図１９】
2010115117.tif 000021
【図２０】
2010115117.tif 000022
【図２１】
2010115117.tif 000023
【図２２】
2010115117.tif 000024